(57)【要約】      （修正有）【課題】フローティング効果を得られる表示装置を提供する。【解決手段】表示装置１０は、画像を表示する表示部３８を有する表示パネル３０と、第一主面２０ａ及び第二主面を有し、第二主面側に表示パネルが配置される板状部材２０とを備え、表示パネルの表示部３８は、第二主面に沿って配置され、板状部材２０は、表示部３８に対応する位置に配置される画面部２２と、画面部の周縁に配置される半透明部と、半透明部の外側に配置される透明部２８とを有する。半透明部の可視光透過率は、画面部側から透明部側に向かって漸次高くなるように構成され、板状部材は、画面部と半透明部との間に不透明部をさらに有する。【選択図】図１
0003224923.tif 000002
【実用新案登録請求の範囲】
【請求項１】
画像を表示する表示部を有する表示パネルと、
第一主面及び第二主面を有し、前記第二主面側に前記表示パネルが配置される板状部材とを備え、
前記表示パネルの前記表示部は、前記第二主面に沿って配置され、
前記板状部材は、
前記表示部に対応する位置に配置される画面部と、
前記画面部の周縁に配置される半透明部と、
前記半透明部の外側に配置される透明部とを有する
表示装置。
【請求項２】
前記半透明部の可視光透過率は、前記画面部側から前記透明部側に向かって漸次高くなる
請求項１に記載の表示装置。
【請求項３】
前記板状部材は、前記画面部と前記半透明部との間に配置される不透明部をさらに有する
請求項１又は２に記載の表示装置。
【請求項４】
前記表示パネルは、前記表示部の周縁に配置され、画像を表示しないベゼル部を有し、
前記ベゼル部は、前記半透明部に対応する位置に配置される
請求項１〜３のいずれか１項に記載の表示装置。
【請求項５】
前記表示パネルは、前記表示部の周縁に配置され、画像を表示しないベゼル部を有し、
前記ベゼル部は、前記不透明部に対応する位置に配置される
請求項３に記載の表示装置。
【請求項６】
前記透明部の面積は、前記半透明部の面積の二倍以上である
請求項１〜５のいずれか１項に記載の表示装置。
【請求項７】
前記半透明部は、離散的に配置された複数の不透明部材を含む
請求項１〜６のいずれか１項に記載の表示装置。
【請求項８】
前記不透明部材は、前記板状部材の前記第二主面に配置される
請求項７に記載の表示装置。
【請求項９】
前記表示装置と外部機器とを接続する接続端子を固定する端子固定部をさらに備え、
前記端子固定部は、前記板状部材の前記第二主面側に、前記表示パネルから離隔して配置される
請求項１〜８のいずれか１項に記載の表示装置。
【請求項１０】
前記端子固定部は、前記板状部材の前記透明部に配置される
請求項９に記載の表示装置。
【請求項１１】
前記板状部材の前記端子固定部が配置される領域は、半透明である
請求項９に記載の表示装置。
【請求項１２】
前記端子固定部の前記第二主面に対向する面の色は、白色である
請求項９〜１１のいずれか１項に記載の表示装置。
【請求項１３】
前記端子固定部と、前記表示パネルとを接続する配線部をさらに備える
請求項９〜１２のいずれか１項に記載の表示装置。
【請求項１４】
前記配線部は、複数の接続線を有し、
前記複数の接続線のうち隣り合う二本の接続線は、互いに離隔して配置される
請求項１３に記載の表示装置。
【請求項１５】
前記配線部は、透明部材を含む
請求項１３又は１４に記載の表示装置。
【請求項１６】
前記配線部は、複数の接続線を含み、
前記複数の接続線は、前記第二主面に垂直な方向に積層される
請求項１５に記載の表示装置。
【請求項１７】
前記配線部は、透明基板をさらに有する
請求項１３〜１６のいずれか１項に記載の表示装置。
【請求項１８】
前記板状部材の前記第二主面に配置され、前記板状部材の前記透明部に対応する部分が透明な後方部材をさらに備える
請求項１〜１７のいずれか１項に記載の表示装置。
【請求項１９】
前記板状部材と、前記後方部材とを接合する透明接着剤をさらに備える
請求項１８に記載の表示装置。
【請求項２０】
前記板状部材の前記画面部は、透明である
請求項１〜１９のいずれか１項に記載の表示装置。
【請求項２１】
前記表示パネルは、有機ＥＬ（Ｅｌｅｃｔｒｏ−Ｌｕｍｉｎｅｓｃｅｎｃｅ）表示パネルである
請求項１〜２０のいずれか１項に記載の表示装置。
【考案の詳細な説明】
【技術分野】
【０００１】
本考案は、表示装置に関する。
【背景技術】
【０００２】
液晶表示パネル、有機ＥＬ（Ｅｌｅｃｔｒｏ−Ｌｕｍｉｎｅｓｃｅｎｃｅ）表示パネルなどのフラットディスプレイパネルを用いる表示装置として、フラットディスプレイパネルの表示部の周囲に枠状の透明部を配置することによって、フラットディスプレイパネルに表示された画像が宙に浮いているように見えるフローティング効果を生じさせたものが提案されている。
【０００３】
例えば、特許文献１には、フラットディスプレイパネルの外周に、外枠と、内枠と、それらの間に配置された枠状の透明部材とを備える表示装置が記載されている。
【先行技術文献】
【特許文献】
【０００４】
【特許文献１】特開２００６−３０３２１号公報
【考案の概要】
【考案が解決しようとする課題】
【０００５】
しかしながら、特許文献１に記載された表示装置では、表示部と、透明部材との間に、スピーカなどが内蔵された比較的幅の大きい内枠が配置されているため、表示された画像が浮いているようには見えにくい。つまり、特許文献１に記載された表示装置では、内枠によってフローティング効果が阻害される。
【０００６】
そこで、本考案は、上記問題点に鑑みてなされたものであり、フローティング効果を得られる表示装置を提供することを目的とする。
【課題を解決するための手段】
【０００７】
上記目的を達成するために、本考案の一形態に係る表示装置は、画像を表示する表示部を有する表示パネルと、第一主面及び第二主面を有し、前記第二主面側に前記表示パネルが配置される板状部材とを備え、前記表示パネルの前記表示部は、前記第二主面に沿って配置され、前記板状部材は、前記表示部に対応する位置に配置される画面部と、前記画面部の周縁に配置される半透明部と、前記半透明部の外側に配置される透明部とを有する。
【考案の効果】
【０００８】
本考案により、フローティング効果を得られる表示装置を提供できる。
【図面の簡単な説明】
【０００９】
【図１】図１は、実施の形態に係る表示装置の外観を示す正面図である。
【図２】図２は、実施の形態に係る表示装置の外観を示す背面図である。
【図３】図３は、実施の形態に係る表示装置の外観を示す側面図である。
【図４】図４は、実施の形態に係る表示装置の機器構成を示す分解斜視図である。
【図５】図５は、実施の形態に係る表示パネルの外観を示す正面図である。
【図６】図６は、実施の形態に係る板状部材の構成を示す拡大図である。
【図７】図７は、実施の形態に係る非透明部と透明部との可視光透過率のＸ軸方向における分布を示すグラフである。
【図８】図８は、実施の形態に係る非透明部と透明部との可視光透過率のＹ軸方向における分布を示すグラフである。
【図９】図９は、実施の形態に係る配線部の構成を示す平面図である。
【図１０】図１０は、実施の形態に係る配線部の構成を示す断面図である。
【図１１】図１１は、実施の形態の変形例１に係る配線部の構成を示す平面図である。
【図１２】図１２は、実施の形態の変形例１に係る配線部の構成を示す断面図である。
【図１３】図１３は、実施の形態の変形例２に係る配線部の構成を示す平面図である。
【図１４】図１４は、実施の形態の変形例２に係る配線部の構成を示す断面図である。
【図１５】図１５は、実施の形態の変形例３に係る配線部の構成を示す平面図である。
【図１６】図１６は、実施の形態の変形例３に係る配線部の構成を示す断面図である。
【考案を実施するための形態】
【００１０】
以下、本考案の実施の形態について、図面を用いて詳細に説明する。なお、以下で説明する実施の形態は、いずれも本考案の一具体例を示す。以下の実施の形態で示される数値、形状、材料、構成要素、構成要素の配置位置及び接続形態、使用例、動作例等は、一例であり、本考案を限定する主旨ではない。また、以下の実施の形態における構成要素のうち、本考案の最上位概念を示す独立請求項に記載されていない構成要素については、任意の構成要素として説明される。また、各図は、必ずしも厳密に図示したものではない。各図において、実質的に同一の構成については同一の符号を付し、重複する説明は省略又は簡略化する。
【００１１】
（実施の形態）
実施の形態に係る表示パネルについて説明する。
【００１２】
［１．全体構成］
まず、本実施の形態に係る表示装置の全体構成について図１〜図４を用いて説明する。図１、図２、及び図３は、それぞれ、本実施の形態に係る表示装置１０の外観を示す正面図、背面図、及び側面図である。図４は、本実施の形態に係る表示装置１０の機器構成を示す分解斜視図である。なお、各図において、表示装置１０の長方形状の表示部３８の長辺方向及び短辺方向を、それぞれ、Ｘ軸方向及びＹ軸方向としている。また、Ｘ軸方向及びＹ軸方向に垂直な方向をＺ軸方向としている。各図のＸＹＺ座標系は、右手系の直交座標系である。
【００１３】
本実施の形態に係る表示装置１０は、画像を表示する装置であり、図１及び図４に示されるように、表示パネル３０と、板状部材２０とを備える。本実施の形態では、表示装置１０は、図２及び図４に示されるように、後方部材６０と、端子固定部４０と、配線部５０とをさらに備える。以下、表示装置１０の各構成要素について説明する。
【００１４】
［１−１．表示パネル］
表示パネル３０は、画像を表示するフラットディスプレイパネルである。表示パネル３０について、図５を用いて説明する。図５は、本実施の形態に係る表示パネル３０の外観を示す正面図である。本実施の形態では、表示パネル３０は、有機ＥＬ表示パネルである。このように、表示パネル３０として、黒表示に優れた有機ＥＬ表示パネルを用いることで、特に、背景が黒い画像を表示する際に、表示装置１０のフローティング効果を高めることができる。
【００１５】
図５に示されるように、表示パネル３０は、表示部３８と、ベゼル部３９とを有する。また、図２に示されるように、表示パネル３０は、主回路基板３１と、パネル配線部３２〜３４と、駆動回路３５及び３６とをさらに有する。
【００１６】
表示部３８は、表示パネル３０において画像を表示する部分である。本実施の形態では、図５に示されるように、表示部３８の形状は、長方形状であり、表示部３８の対角線の長さは約２２インチ（つまり、約５５８．８ｍｍ）である。表示部３８の形状及び寸法は、特に限定されない。表示部３８の形状は、例えば、楕円形などであってもよい。
【００１７】
ベゼル部３９は、図５に示されるように、表示パネル３０の表示部３８の周縁に配置され、画像を表示しない部分である。本実施の形態では、ベゼル部３９に駆動回路３５及び３６などの回路は配置されない。これにより、ベゼル部３９の幅を狭くすることができる。ベゼル部３９の少なくとも一部には、表示部３８と、表示パネル３０の背面側に配置された駆動回路３５及び３６とを接続するフレキシブル配線基板などが配置される。本実施の形態では、フレキシブル配線基板は、ベゼル部３９のうち長辺方向（つまり、Ｘ軸方向）に延びる部分に配置され、短辺方向（つまり、Ｙ軸方向）に延びる部分には配置されない。このため、ベゼル部３９のうち長辺方向に延びる部分の方が短辺方向に延びる部分より幅が大きい。
【００１８】
主回路基板３１は、表示パネル３０を制御する制御回路が実装される基板である。主回路基板３１には、表示パネル３０の表示部３８などに電力を供給する電源回路などが実装されていてもよい。主回路基板３１は、駆動回路３５及び３６との間で、それぞれパネル配線部３３及び３４を介して信号を送受信する。また、主回路基板３１は、パネル配線部３３及び３４を介してそれぞれ駆動回路３５及び３６に電力を供給してもよい。
【００１９】
駆動回路３５及び３６は、表示部３８を駆動する回路である。より具体的には、駆動回路３５及び３６は、表示部３８が有する複数の画素回路の各々を駆動する。駆動回路３５及び３６は、複数の画素回路の各々に映像信号に対応するデータ信号を入力する。これにより、複数の画素回路の各々は、映像信号に対応する輝度及び色度で発光する。
【００２０】
パネル配線部３２は、配線部５０と主回路基板３１とを接続する１以上の接続線を含む。本実施の形態では、パネル配線部３２は、複数の接続線を含む。
【００２１】
パネル配線部３３は、駆動回路３５と主回路基板３１とを接続する１以上の接続線を含む。本実施の形態では、パネル配線部３３は、駆動回路３５及び主回路基板３１と接続される複数の接続線を含む。
【００２２】
パネル配線部３４は、駆動回路３６と主回路基板３１とを接続する１以上の接続線を含む。本実施の形態では、パネル配線部３４は、駆動回路３６及び主回路基板３１と接続される複数の接続線を含む。
【００２３】
［１−２．板状部材］
板状部材２０は、図３及び図４に示されるように第一主面２０ａ及び第一主面２０ａの裏側に位置する第二主面２０ｂを有し、図４に示されるように第二主面２０ｂ側に表示パネル３０が配置される板状の部材である。表示パネル３０の表示部３８は、第二主面２０ｂに沿って配置される。
【００２４】
本実施の形態では、板状部材２０は、長方形状の形状を有する。例えば、板状部材２０の長辺方向（つまり、Ｘ軸方向）の長さは６４０ｍｍ程度、短辺方向（つまり、Ｙ軸方向）の長さが４５０ｍｍ程度、厚さ（つまり、Ｚ軸方向の寸法）が１ｍｍ程度である。板状部材２０は、例えば、透明なアクリル板を用いて形成される。ここで、透明とは、完全に透明、つまり、可視光透過率が１００％であることだけでなく、実質的に透明であることも意味する。本明細書では、可視光透過率が９０％以上であることを透明という。
【００２５】
板状部材２０は、図１に示されるように、画面部２２と、非透明部２４と、透明部２８とを有する。
【００２６】
画面部２２は、表示部３８に対応する位置に配置される部分である。画面部２２は、表示部３８に対向する位置に配置され、表示部３８全体を覆う。画面部２２は、ベゼル部３９の一部を覆ってもよい。本実施の形態では、画面部２２は、透明部材で形成される。具体的には、画面部２２は、透明なアクリルで形成される。このように画面部２２が透明であることにより、表示部３８に表示される画像を表示装置１０の外部から鑑賞できる。また、画面部２２が板状部材２０に形成された貫通孔などによって構成される場合と比べて、画面部２２から透明部２８までを平坦とすることができるため、ユーザが画面部２２と透明部２８との境界を認識しにくくなる。したがって、表示装置１０のフローティング効果を高めることができる。
【００２７】
非透明部２４は、画面部２２の周縁に配置される非透明な部分である。本明細書では、可視光透過率が９０%未満であることを非透明という。また、非透明な領域には、微視的に見て透明な部分が含まれてもよい。以下、板状部材２０の非透明部２４について、図６〜図８を用いて説明する。図６は、本実施の形態に係る板状部材２０の構成を示す拡大図である。図６は、図１の破線枠ＶＩの内部を拡大して示している。図７及び図８は、それぞれ、本実施の形態に係る非透明部２４と透明部２８との可視光透過率のＸ軸方向及びＹ軸方向における分布を示すグラフである。
【００２８】
図６に示されるように、非透明部は、画面部２２の周縁に配置される不透明部２４ａと、不透明部２４ａの外側に配置される半透明部２４ｂとを有する。ここで不透明とは、完全に可視光が透過しないこと、及び、実質的に可視光が透過しないことを意味する。本明細書では、可視光透過率が１０％未満であることを不透明という。また、半透明とは、一部の可視光が透過することを意味する。本明細書では、可視光透過率が１０％以上、９０％未満であることを半透明という。
【００２９】
本実施の形態では、不透明部２４ａは、図７及び図８に示されるように、Ｘ軸方向及びＹ軸方向において、１０％未満で一様な可視光透過率を有する。不透明部２４ａの構成は特に限定されないが、本実施の形態では、不透明部２４ａは、図６に示されるように、透明な板の主面に不透明部材２５を配置することで形成される。より具体的には、不透明部２４ａは、透明なアクリルを用いて形成された板状部材２０の第二主面２０ｂ側に白色塗料を塗布することで形成される。白色塗料は、不透明部２４ａの全領域に塗布される。なお、不透明部材２５は、板状部材２０の第一主面２０ａ側に配置されてもよいし、板状部材２０の内部に配置されてもよい。また、不透明部材２５は、白色塗料以外の部材であってもよい。例えば、不透明部材２５は、ユーザに認識されにくい色の部材であってもよい。例えば、不透明部材２５は、表示装置１０が壁に設置される場合には壁の色に近い色の部材であってもよいし、表示部３８に表示される画像の色が特定の色であることが多い場合には当該特定の色の部材であってもよい。
【００３０】
不透明部２４ａは、表示パネル３０のベゼル部３９に対応する位置に配置される。本実施の形態では、図７及び図８に示されるように、不透明部２４ａの表示部３８の短辺方向（つまり、Ｙ軸方向）の幅、及び、長辺方向（Ｘ軸方向）の幅は、それぞれ、９ｍｍ及び３ｍｍである。これらの幅は、表示パネル３０のベゼル部３９の幅とほぼ等しい。これにより、不透明部２４ａによって、ベゼル部３９を隠すことができる。したがって、表示パネル３０の構造物であるベゼル部３９をユーザが認識しにくくなるため、表示装置１０のフローティング効果を高めることができる。また、白色塗料が板状部材２０の第二主面２０ｂ側に配置されることにより、白色塗料と表示部３８との第二主面２０ｂに垂直な方向（Ｚ軸方向）における位置を近づけることができる。このため、ユーザが不透明部２４ａと表示部３８との境界を認識しにくくなる。したがって、表示装置１０のフローティング効果を高めることができる。
【００３１】
本実施の形態では、図７及び図８に示されるように、半透明部２４ｂの可視光透過率は、画面部２２側から透明部２８側に向かって漸次高くなる。これにより、半透明部２４ｂと、透明部２８との境界が不明りょうとなるため、ユーザが表示部３８の端部を認識しにくくなる。このため、ユーザは表示部３８に表示された画像が宙に浮いているように認識し易くなる。
【００３２】
本実施の形態では、図７及び図８に示されるように、半透明部２４ｂの可視光透過率は、Ｘ軸方向及びＹ軸方向の両方向において、画面部２２側から透明部２８側に向かって漸次高くなる。半透明部２４ｂの構成は特に限定されないが、本実施の形態では、半透明部２４ｂは、離散的に配置された不透明部材２５を含む。これにより、半透明部２４ｂに不透明部材２５を配置するだけで、容易に可視光透過率を調整できる。例えば、半透明部２４ｂは、透明な板の主面に不透明部材２５を離散的に配置することで形成される。より具体的には、半透明部２４ｂは、透明なアクリルを用いて形成された板状部材２０の第二主面２０ｂ側に白色塗料を離散的に塗布することで形成される。これにより、白色塗料と表示部３８との第二主面２０ｂに垂直な方向（Ｚ軸方向）における位置を近づけることができるため、ユーザが半透明部２４ｂと表示部３８との境界を認識しにくくなる。したがって、表示装置１０のフローティング効果を高めることができる。
【００３３】
図６に示される例では、半透明部２４ｂにおいて、第二主面２０ｂに複数の微小な円形の領域に白色塗料が塗布される。また、複数の微小な円形の領域の単位面積当たりの個数は一様で、複数の微小な円形の領域の各々の直径は、画面部２２側から透明部２８側に向かって漸次小さくなる。これにより、半透明部２４ｂの可視光透過率が画面部２２側から透明部２８側に向かって漸次高くなる。なお、不透明部材２５は、板状部材２０の第一主面２０ａ側に配置されてもよいし、板状部材２０の内部に配置されてもよい。また、不透明部材２５は、白色塗料以外の部材であってもよい。例えば、黒色塗料、灰色塗料などであってもよい。さらに、不透明部材２５は、蒸着で形成されるクロム等の金属層であってもよい。この場合、不透明部材２５の色は、メタル色であってもよい。また、可視光透過率の調整方法は、上述した方法に限定されない。例えば、白色塗料は、円形状の領域に塗布されなくてもよく、三角形状の領域などの他の形状の領域に塗布されてもよい。また、白色塗料によって塗布される微小な円形の領域の直径を変える構成に代えて、複数の微小な円形の領域の単位面積当たりの個数を変えることによって、可視光透過率を調整する構成としてもよい。また、不透明部材２５は、網目状に配置されてもよい。この場合、網目の粗密によって可視光透過率が調整されてもよい。また、半透明部２４ｂに半透明部材を配置してもよい。この場合、半透明部材の可視光透過率を変えることで、半透明部２４ｂの可視光透過率を調整してもよい。具体的には、半透明部材の厚さを変えることで、可視光透過率を調整してもよい。
【００３４】
なお、本実施の形態では、半透明部２４ｂを、不透明部材２５を配置することによって形成したが、半透明部２４ｂの形成方法は、これに限定されない。例えば、半透明部２４ｂは、アクリルなどの透明な部材に、サンドブラスト加工又はエンボス加工を施すことによって白色化された部分であってもよい。
【００３５】
半透明部２４ｂの幅は特に限定されないが、本実施の形態では、３ｍｍ程度である。なお、本実施の形態では、半透明部２４ｂの幅は一定であるが、位置に応じて変化してもよい。
【００３６】
また、表示パネル３０のベゼル部３９は、半透明部２４ｂに対応する位置に配置されてもよい。これにより、ベゼル部３９の少なくとも一部を、半透明部２４ｂによって隠すことができる。したがって、表示パネル３０の構造物であるベゼル部３９をユーザが認識しにくくなる。つまり、ユーザは、表示部３８の端部を認識しにくくなるため、表示装置１０のフローティング効果を高めることができる。
【００３７】
透明部２８は、非透明部２４の外側に配置される透明な部分である。表示装置１０が画面部２２の外側にこのような透明部２８を有することにより、ユーザは、表示部３８に表示される画像が宙に浮いているかのように認識しやすくなる。つまり、表示装置１０において、フローティング効果を得ることができる。本実施の形態では、透明部２８の面積は、半透明部２４ｂの面積の二倍以上である。これにより、表示部３８の端部から透明部２８の端部までの距離を大きくすることができる。つまり、表示部３８に表示された画像から、板状部材２０の端部までの距離を大きくすることができるため、ユーザが画像を鑑賞する際に、板状部材２０の端部を認識しにくくなる。したがって、ユーザが板状部材２０の端部を認識することに伴ってフローティング効果が低減することを抑制できる。透明部２８の面積は、半透明部２４ｂの面積の三倍以上であってもよい。これにより、ユーザが板状部材２０の端部を認識することに伴ってフローティング効果が低減することをより一層抑制できる。
【００３８】
透明部２８の幅は、特に限定されないが、本実施の形態では、図７及び図８に示されるように、８７ｍｍ程度である。なお、本実施の形態では、透明部２８の幅は一定であるが、位置に応じて変化してもよい。また、透明部２８の最小幅は、半透明部２４ｂの最大幅の二倍以上であってもよい。これにより、ユーザが板状部材２０の端部を認識することに伴ってフローティング効果が低減することを抑制できる。また、透明部２８の最小幅は、半透明部２４ｂの最大幅の３倍以上であってもよい。これにより、フローティング効果が低減することをより一層抑制できる。また、透明部２８の最小幅は、表示部３８の長辺方向の長さの１０％以上であってもよい。これにより、ユーザが板状部材２０の端部を認識することに伴ってフローティング効果が低減することを抑制できる。
【００３９】
板状部材２０の透明部２８の外側には、非透明な部材は配置されない。これにより、ユーザが板状部材２０の端部を認識することに伴ってフローティング効果が低減することを抑制できる。
【００４０】
［１−３．後方部材］
後方部材６０は、図３及び図４に示されるように、板状部材２０の第二主面２０ｂに配置され、板状部材２０の透明部２８に対応する部分が透明である板状部材である。本実施の形態では、図４に示されるように、後方部材６０は、透明な直方体状の部材であり、表示パネル３０を収納するための第一凹部６１と、端子固定部４０及び配線部５０を収納するための第二凹部６２とを有する。本実施の形態では、後方部材６０は、透明なアクリルを用いて形成される。なお、後方部材６０のうち、板状部材２０の透明部２８に対応する部分以外の部分は、透明でなくてもよい。例えば、後方部材６０の表示パネル３０に対応する部分、つまり、第一凹部６１の部分は、透明でなくてもよい。また、後方部材６０と表示パネル３０との間に非透明なシート又は板を挿入してもよい。これにより、表示パネル３０を隠すことができるため、表示装置１０のデザイン性を高めることができる。
【００４１】
なお、後方部材６０の第一凹部６１は、後方部材６０の厚さ方向（つまり、Ｚ軸方向）に貫通してもよい。これにより、表示パネル３０から発生した熱を放散しやすくなる。後方部材６０の第二凹部６２も、第一凹部６１と同様に後方部材６０の厚さ方向に貫通してもよい。
【００４２】
本実施の形態では、後方部材６０の長辺方向（つまり、Ｘ軸方向）の長さは、板状部材２０の長辺方向の長さと等しく、６４０ｍｍ程度である。後方部材６０の短辺方向（つまり、Ｙ軸方向）の長さは、板状部材２０の短辺方向の長さと等しく、４５０ｍｍ程度である。後方部材６０の最大厚さ（つまり、Ｚ軸方向の最大寸法）が８ｍｍ程度である。
【００４３】
図３に示されるように、表示装置１０は、板状部材２０と後方部材６０とを接合する透明接着剤９０を備える。これにより、表示装置１０のフローティング効果を低減することなく、板状部材２０と後方部材６０とを接合できる。透明接着剤９０は、板状部材２０と後方部材６０との接触面全体に配置されてもよいし、一部だけに配置されてもよい。なお、板状部材２０と後方部材６０とは、他の接合部材によって接合されてもよい。例えば、板状部材２０と後方部材６０とは、光学用透明粘着シート、透明なビスなどを用いて接合されてもよい。
【００４４】
本実施の形態では、以上のように板状部材２０と後方部材６０とが接合されることにより、表示パネル３０などを収納する筐体を形成する。
【００４５】
［１−４．端子固定部］
端子固定部４０は、表示装置１０と外部機器とを接続する接続端子を固定する部品である。端子固定部４０には、例えば、表示装置１０と外部機器との間で信号の送受信を行うための端子が固定される。本実施の形態では、端子固定部４０は、図３に示されるように、基板４４とコネクタ４１〜４３とを有する。基板４４は、コネクタ４１〜４３が実装される板状部材である。コネクタ４１〜４３の各々には、端子が接続される。コネクタ４１〜４３に接続される端子は特に限定されないが、例えば、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）端子、ＵＳＢ（Ｕｎｉｖｅｒｓａｌ  Ｓｅｒｉａｌ  Ｂｕｓ）端子などであってもよい。なお、端子固定部４０は、基板４４及びコネクタ４１〜４３を収納するケースをさらに有してもよい。また、コネクタの個数は、特に限定されず、１以上であればよい。
【００４６】
端子固定部４０は、板状部材２０の第二主面２０ｂ側に、表示パネル３０から離隔して配置される。このように、端子固定部４０が表示部３８から離隔されるため、端子固定部４０が非透明であっても、表示装置１０のフローティング効果が低減することを抑制できる。また、表示装置１０に接続される端子及び当該端子が接続されたケーブルを表示部３８から離隔することができるため、端子及びケーブルによって、表示装置１０のフローティング効果が低減することを抑制できる。また、端子固定部４０が表示パネル３０から離隔して配置されるため、端子固定部４０が表示パネル３０の背面側に配置される場合より、表示装置１０を薄型化することができる。
【００４７】
本実施の形態では、端子固定部４０は、板状部材２０の透明部２８に配置される。このように、端子固定部４０が透明部２８に配置されても、端子固定部４０は、表示パネル３０から離隔して配置されているため、ユーザは、端子固定部４０を認識しにくい。したがって、端子固定部４０によって、表示装置１０のフローティング効果が低減されることを抑制できる。この場合、端子固定部４０の第二主面２０ｂに対向する面の色は、端子固定部４０がユーザに認識されにくくなるように決定されてもよい。例えば、表示装置１０が白色の壁に設置される場合には、端子固定部４０の第二主面２０ｂに対向する面の色は白色であってもよい。本実施の形態では、基板４４の第二主面２０ｂに対向する面が白色に塗装される。
【００４８】
本実施の形態では、端子固定部４０は、板状部材２０の短辺方向の中央に配置されるが、中央以外の位置に配置されてもよい。例えば、短辺方向の端部に配置されてもよい。また、本実施の形態では、端子固定部４０は、表示パネル３０から、板状部材２０の長辺方向（つまり、Ｘ軸方向の端部）に離隔して配置されるが、板状部材２０の短辺方向に離隔して配置されてもよい。この場合、端子固定部４０は、板状部材２０の長辺方向の中央に配置されても、中央以外の位置に配置されてもよい。
【００４９】
なお、板状部材２０の端子固定部４０が配置される領域２９（図１参照）は、半透明であってもよい。これにより、ユーザが端子固定部４０を認識しにくくなるため、端子固定部４０によって、表示装置１０のフローティング効果が低減されることを抑制できる。
【００５０】
［１−５．配線部］
配線部５０は、図１及び図２に示されるように、端子固定部４０と、表示パネル３０とを接続する部品である。配線部５０により、端子固定部４０に固定される端子と表示パネル３０との間で信号を伝達することができる。以下、本実施の形態に係る配線部５０の構成について図９及び図１０を用いて説明する。図９及び図１０は、それぞれ、本実施の形態に係る配線部５０の構成を示す平面図及び断面図である。図９は、表示装置１０の正面側から見た配線部５０の平面図である。図９には、端子固定部４０も併せて示されている。図１０は、図９に示されるＸ−Ｘ線における断面図である。
【００５１】
図９及び図１０に示されるように、配線部５０は、１以上の接続線５２を有する。本実施の形態では、配線部５０は、複数の接続線５２を有する。接続線５２の各々は、図１０に示されるように、芯線５３と、被覆部５４とを有する。芯線５３は、信号などを伝送する長尺状の導電部材である。芯線５３は、例えば、Ａｕ、Ｃｕ、Ａｌなどの金属又は複数の金属の合金で形成される。被覆部５４は、芯線５３を覆う筒状の絶縁部材である。被覆部５４は、例えば、絶縁性の樹脂などで形成される。
【００５２】
複数の接続線５２のうち隣り合う二本の接続線５２は、互いに離隔して配置される。つまり、隣り合う二本の接続線５２の間に隙間５８が形成される。配線部５０のうち隙間５８が透明であるため、配線部５０は半透明な部品となる。したがって、表示部３８の外側に配置される配線部５０がユーザに認識されにくくなるため、配線部５０によるフローティング効果の低減を抑制できる。
【００５３】
また、複数の接続線５２の各々の被覆部５４の色は、各接続線５２がユーザに認識されにくくなるように決定されてもよい。例えば、表示装置１０が白色の壁に設置される場合には、被覆部５４の色は白色であってもよい。
【００５４】
また、配線部５０は、透明部材を含んでもよい。例えば、複数の接続線５２の各々の被覆部５４が透明樹脂で形成されてもよい。さらに、芯線５３がＩＴＯ（Ｉｎｄｉｕｍ  Ｔｉｎ  Ｏｘｉｄｅ）などの透明部材で形成されてもよい。これにより、配線部５０の可視光透過率を高めることができる。したがって、配線部５０がユーザにより一層認識されにくくなるため、配線部５０によるフローティング効果の低減をより一層抑制できる。
【００５５】
［１−６．効果など］
以上のように、本実施の形態に係る表示装置１０は、画像を表示する表示部３８を有する表示パネル３０と、第一主面２０ａ及び第二主面２０ｂを有し、第二主面２０ｂ側に表示パネル３０が配置される板状部材２０とを備える。表示パネル３０の表示部３８は、第二主面２０ｂに沿って配置される。板状部材２０は、表示部３８に対応する位置に配置される画面部２２と、画面部の周縁に配置される半透明部２４ｂと、半透明部２４ｂの外側に配置される透明部２８とを有する。
【００５６】
このように、表示部３８と、表示部３８の外側に配置される透明部２８との間に半透明部２４ｂが配置されることで、表示部３８の端部がユーザに認識されにくくなる。つまり、表示部３８と透明部２８との境界がユーザに認識されにくくなる。このため、ユーザには、表示部３８に表示された画像が宙に浮いているように見える。つまり、フローティング効果を得らえる表示装置１０を実現できる。
【００５７】
また、表示装置１０において、半透明部２４ｂの可視光透過率は、画面部２２側から透明部２８側に向かって漸次高くなってもよい。
【００５８】
これにより、半透明部２４ｂと、透明部２８との境界がより一層不明りょうとなるため、ユーザが表示部３８の端部を認識しにくくなる。このため、ユーザは表示部３８に表示された画像が宙に浮いているように認識し易くなる。
【００５９】
また、表示装置１０において、板状部材２０は、画面部２２と半透明部２４ｂとの間に配置される不透明部２４ａをさらに有してもよい。
【００６０】
このように、不透明部２４ａ、半透明部２４ｂ、及び透明部２８が順に配置されることで、ユーザが表示部３８の端部をより一層認識しにくくなる。このため、ユーザは表示部３８に表示された画像が宙に浮いているように、より一層認識し易くなる。
【００６１】
また、表示装置１０において、表示パネル３０は、表示部３８の周縁に配置され、画像を表示しないベゼル部３９を有し、ベゼル部３９は、半透明部２４ｂに対応する位置に配置されてもよい。
【００６２】
これにより、ベゼル部３９の少なくとも一部を、半透明部２４ｂによって隠すことができる。したがって、表示パネル３０の構造物であるベゼル部３９をユーザが認識しにくくなる。つまり、ユーザは、表示部３８の端部を認識しにくくなるため、表示装置１０のフローティング効果を高めることができる。
【００６３】
また、表示装置１０において、ベゼル部３９は、不透明部２４ａに対応する位置に配置されてもよい。
【００６４】
これにより、不透明部２４ａによって、ベゼル部３９を隠すことができる。したがって、表示パネル３０の構造物であるベゼル部３９をユーザが認識しにくくなるため、表示装置１０のフローティング効果を高めることができる。
【００６５】
また、表示装置１０において、透明部２８の面積は、半透明部２４ｂの面積の二倍以上であってもよい。
【００６６】
これにより、表示部３８の端部から透明部２８の端部までの距離を大きくすることができる。つまり、表示部３８に表示された画像から、板状部材２０の端部までの距離を大きくすることができるため、ユーザが画像を鑑賞する際に、板状部材２０の端部を認識しにくくなる。したがって、ユーザが板状部材２０の端部を認識することに伴ってフローティング効果が低減することを抑制できる。
【００６７】
また、表示装置１０において、半透明部２４ｂは、離散的に配置された複数の不透明部材２５を含んでもよい。
【００６８】
これにより、半透明部２４ｂに不透明部材２５を配置するだけで、容易に可視光透過率を調整できる。
【００６９】
また、表示装置１０において、不透明部材２５は、板状部材２０の第二主面２０ｂに配置されてもよい。
【００７０】
これにより、不透明部材２５と表示部３８との第二主面２０ｂに垂直な方向における位置を近づけることができるため、ユーザが半透明部２４ｂと表示部３８との境界を認識しにくくなる。したがって、表示装置１０のフローティング効果を高めることができる。
【００７１】
また、表示装置１０は、表示装置１０と外部機器とを接続する接続端子を固定する端子固定部４０をさらに備え、端子固定部４０は、板状部材２０の第二主面２０ｂ側に、表示パネル３０から離隔して配置されてもよい。
【００７２】
このように、端子固定部４０が表示部３８から離隔されるため、端子固定部４０が非透明であっても、表示装置１０のフローティング効果が低減することを抑制できる。また、表示装置１０に接続される端子及び当該端子が接続されたケーブルを表示部３８から離隔することができるため、端子及びケーブルによって、表示装置１０のフローティング効果が低減することを抑制できる。
【００７３】
また、表示装置１０において、端子固定部４０は、板状部材２０の透明部２８に配置されてもよい。
【００７４】
このように、端子固定部４０が透明部２８に配置されても、端子固定部４０は、表示パネル３０から離隔して配置されているため、ユーザは、端子固定部４０を認識しにくい。したがって、端子固定部４０によって、表示装置１０のフローティング効果が低減されることを抑制できる。
【００７５】
また、表示装置１０において、板状部材２０の端子固定部４０が配置される領域２９は、半透明であってもよい。
【００７６】
これにより、ユーザが端子固定部４０を認識しにくくなるため、端子固定部４０によって、表示装置１０のフローティング効果が低減されることを抑制できる。
【００７７】
また、表示装置１０において、端子固定部４０の第二主面２０ｂに対向する面の色は、白色であってもよい。
【００７８】
これにより、例えば、表示装置１０が白色の壁に設置される場合に、ユーザが端子固定部４０を認識しにくくなるため、端子固定部４０によって、表示装置１０のフローティング効果が低減されることを抑制できる。
【００７９】
また、表示装置１０は、端子固定部４０と、表示パネル３０とを接続する配線部５０をさらに備えてもよい。
【００８０】
これにより、端子固定部４０に固定される端子と表示パネル３０との間で信号を伝達することができる。
【００８１】
また、表示装置１０において、配線部５０は、複数の接続線５２を有し、複数の接続線５２のうち隣り合う二本の接続線は、互いに離隔して配置されてもよい。
【００８２】
このように、隣り合う二本の接続線５２の間に隙間５８が形成される。配線部５０のうち隙間５８が透明であるため、配線部５０は半透明な部品となる。したがって、表示部３８の外側に配置される配線部５０がユーザに認識されにくくなるため、配線部５０によるフローティング効果の低減を抑制できる。
【００８３】
また、表示装置１０において、配線部５０は、透明部材を含んでもよい。
【００８４】
これにより、配線部５０の可視光透過率を高めることができる。したがって、配線部５０がユーザにより一層認識されにくくなるため、配線部５０によるフローティング効果の低減をより一層抑制できる。
【００８５】
また、表示装置１０は、板状部材２０の第二主面２０ｂに配置され、板状部材２０の透明部２８に対応する部分が透明な後方部材６０をさらに備えてもよい。
【００８６】
これにより、板状部材２０と後方部材６０とで、表示パネル３０などを収納する筐体を形成することができる。
【００８７】
また、表示装置１０は、板状部材２０と、後方部材６０とを接合する透明接着剤をさらに備えてもよい。
【００８８】
これにより、表示装置１０のフローティング効果を低減することなく、板状部材２０と後方部材６０とを接合できる。
【００８９】
また、表示装置１０において、板状部材２０の画面部２２は、透明部材で形成されてもよい。
【００９０】
これにより、このように画面部２２が透明であることにより、表示部３８に表示される画像を表示装置１０の外部から鑑賞できる。また、画面部２２が板状部材２０に形成された貫通孔などによって構成される場合と比べて、画面部２２から透明部２８までを平坦とすることができるため、ユーザが画面部２２と透明部２８との境界を認識しにくくなる。したがって、表示装置１０のフローティング効果を高めることができる。
【００９１】
また、表示装置１０において、表示パネル３０は、有機ＥＬ表示パネルであってもよい。
【００９２】
このように、表示パネル３０として、黒表示に優れた有機ＥＬ表示パネルを用いることで、特に、背景が黒い画像を表示する際に、表示装置１０のフローティング効果を高めることができる。
【００９３】
［１−７．変形例］
次に、本実施の形態の各変形例に係る表示装置について説明する。以下で説明する各変形例に係る表示装置は、配線部の構成において、実施の形態１に係る表示装置１０と相違する。以下、各変形例の配線部について図１１〜図１６を用いて説明する。
【００９４】
図１１及び図１２は、それぞれ、本実施の形態の変形例１に係る配線部５０ａの構成を示す平面図及び断面図である。図１３及び図１４は、それぞれ、本実施の形態の変形例２に係る配線部５０ｂの構成を示す平面図及び断面図である。図１５及び図１６は、それぞれ、本実施の形態の変形例３に係る配線部５０ｃの構成を示す平面図及び断面図である。
【００９５】
図１１及び図１２に示される配線部５０ａは、複数の接続線５２ａを有する。複数の接続線５２ａの各々は、芯線５３と、被覆部５４ａとを備える。本変形例に係る配線部５０ａは、透明部材を含む。具体的には、被覆部５４ａは、透明樹脂などの透明部材で形成される。また、複数の接続線５２ａは、各接続線５２の長手方向に垂直な方向（つまり、Ｙ軸方向）に隙間なく配列される。このように隙間なく配列される場合でも、被覆部５４ａが透明であることから、配線部５０ａは半透明な部品となる。さらに、本変形例では、配線部５０ａの配列方向の寸法を、実施の形態１に係る配線部５０より縮小できるため、表示部３８の外側に配置される配線部５０ａがユーザに、より一層認識されにくくなるため、配線部５０ａによるフローティング効果の低減をさらに抑制できる。
【００９６】
図１３及び図１４に示される変形例２に係る配線部５０ｂは、変形例１に係る配線部５０ａと同様に複数の接続線５２ａを有する。本変形例に係る配線部５０ｂにおいては、図１４に示されるように、複数の接続線５２ａは、第二主面２０ｂに垂直な方向（つまり、Ｚ軸方向）に積層される。このように、本変形例では、配線部５０ａの配列方向の寸法を、変形例１に係る配線部５０ａより縮小できるため、表示部３８の外側に配置される配線部５０ａがユーザに、より一層認識されにくくなるため、配線部５０ｂによるフローティング効果の低減をさらに抑制できる。なお、本変形例では、複数の接続線５２ａのＹ軸方向の位置をずらして積層したが、複数の接続線５２ａのＹ軸方向の位置をずらさずに積層してもよい。これにより、不透明な芯線５３のＹ軸方向の位置を一致させることができるため、配線部５０ｂの正面から見た場合の（つまり、Ｚ軸方向に見た場合の）可視光透過率をより一層高めることができる。
【００９７】
図１５及び図１６に示される変形例３に係る配線部５０ｃは、複数の接続線５２ｃと、複数の接続線５２ｃが配置される透明基板５６と、複数の接続線５２ｃを覆う被覆部５５とを有する。
【００９８】
複数の接続線５２ｃは、透明基板５６上に成膜される導電膜である。複数の接続線５２ｃは、例えば、Ｃｕ、Ａｕ、Ａｌなどの金属、複数の金属の合金で形成される。
【００９９】
透明基板５６は、複数の接続線５２ｃが配置される透明な板状部材であり、例えば、ポリエチレンテレフタレートなどで形成される。
【０１００】
被覆部５５は、複数の接続線５２ｃを一体的に覆う絶縁性の透明部材である。被覆部５５は、透明樹脂などで形成される。
【０１０１】
このように、配線部５０ｃが透明基板５６を有することにより、配線部５０ｃを半透明な部品とすることができる。また、複数の接続線５２ｃをＩＴＯなどの透明部材で形成してもよい。これにより、配線部５０ｃの可視光透過率をより一層高めることができる。
【０１０２】
なお、本変形例に係る複数の接続線５２ｃを板状部材２０の第二主面２０ｂに直接形成してもよい。これにより、配線部の可視光透過率をより一層高めることができる。
【０１０３】
（その他の変形例など）
以上、本考案の表示装置１０について、実施の形態に基づいて説明したが、本考案は、この実施の形態に限定されるものではない。本考案の主旨を逸脱しない限り、当業者が思いつく各種変形を本実施の形態に施したものや、実施の形態における一部の構成要素を組み合わせて構築される別の形態も、本考案の範囲内に含まれる。
【０１０４】
例えば、上記実施の形態では、表示パネル３０として、有機ＥＬ表示パネルを用いたが、表示パネル３０として、液晶表示パネル、量子ドットＬＥＤ（Ｑｕａｎｔｕｍ−ｄｏｔ  Ｌｉｇｈｔ  Ｅｍｉｔｔｉｎｇ  Ｄｉｏｄｅ）表示パネルなどの他のフラットディスプレイパネルを用いてもよい。
【０１０５】
また、上記実施の形態では、非透明部２４は、不透明部２４ａを含んだが、非透明部２４は、必ずしも不透明部２４ａを含まなくてもよい。この場合、表示パネル３０のベゼル部３９は、半透明部２４ｂに対応する位置に配置されてもよい。これにより、ユーザは、ベゼル部３９の存在を認識しにくくなる。
【０１０６】
また、上記実施の形態では、表示装置１０は、後方部材６０を備えたが、表示装置１０は、後方部材６０を備えなくてもよい。これにより、表示装置１０の構成をより簡素化できるため、より軽量な表示装置１０を実現できる。
【０１０７】
また、上記実施の形態では、配線部５０及び端子固定部４０は、表示パネル３０の外側に配置されたが、これらは表示パネル３０と一体化されてもよい。また、配線部５０及び端子固定部４０は、表示部３８の背面側に配置されてもよい。この場合、映像信号などを供給するケーブルを表示装置１０の背面側に隠すことで、表示装置１０のフローティング効果をより一層高めることができる。
【０１０８】
また、上記実施の形態では、板状部材２０及び後方部材６０は、透明なアクリルを用いて形成されたが、他の透明部材を用いて形成されてもよい。板状部材２０及び後方部材６０は、例えば、アクリル以外の透明樹脂を用いて形成されてもよいし、ガラスなどを用いて形成されてもよい。
【産業上の利用可能性】
【０１０９】
本考案は、フローティング効果を得られる表示装置として、特に、壁掛け型の表示装置として利用できる。
【符号の説明】
【０１１０】
１０  表示装置
２０  板状部材
２０ａ  第一主面
２０ｂ  第二主面
２２  画面部
２４  非透明部
２４ａ  不透明部
２４ｂ  半透明部
２５  不透明部材
２８  透明部
２９  領域
３０  表示パネル
３１  主回路基板
３２、３３、３４  パネル配線部
３５、３６  駆動回路
３８  表示部
３９  ベゼル部
４０  端子固定部
４１、４２、４３  コネクタ
４４  基板
５０、５０ａ、５０ｂ、５０ｃ  配線部
５２、５２ａ、５２ｃ  接続線
５３  芯線
５４、５４ａ、５５  被覆部
５６  透明基板
５８  隙間
６０  後方部材
６１  第一凹部
６２  第二凹部
【図１】
0003224923.tif 000003
【図２】
0003224923.tif 000004
【図３】
0003224923.tif 000005
【図４】
0003224923.tif 000006
【図５】
0003224923.tif 000007
【図６】
0003224923.tif 000008
【図７】
0003224923.tif 000009
【図８】
0003224923.tif 000010
【図９】
0003224923.tif 000011
【図１０】
0003224923.tif 000012
【図１１】
0003224923.tif 000013
【図１２】
0003224923.tif 000014
【図１３】
0003224923.tif 000015
【図１４】
0003224923.tif 000016
【図１５】
0003224923.tif 000017
【図１６】
0003224923.tif 000018